(57)【要約】【課題】隣接する遊技機の間に配置され、板状の仕切部を引出可能に収納するための間柱において、本体部内に入り込んだ遊技球等の異物を排出できるようにする。【解決手段】間柱は、遊技機の間に配置される本体部と、本体部に収納され、本体部の前面に形成された開口から引き出し可能に取り付けられた板状の仕切部とを備える。また、本体部は、当該本体部に収納された仕切部の外周を、上方、下方、及び、前面とは反対側の後方からそれぞれ囲む枠体を備え、枠体の後方の下方端部には、当該本体部に入り込んだ異物を排出するための排出口が設けられている。【選択図】図４
2018068735.tif 000002
【特許請求の範囲】
【請求項１】
隣接する遊技機の間に設置される間柱であって、
前記遊技機の間に配置される本体部と、
前記本体部に収納され、前記本体部の前面に形成された開口から引き出し可能に取り付けられた板状の仕切部と、
を備え、
前記本体部は、当該本体部に収納された前記仕切部の外周を、上方、下方、及び、前記前面とは反対側の後方からそれぞれ囲む枠体を備え、
前記枠体の後方の下方端部には、当該本体部に入り込んだ異物を排出するための排出口が設けられている、間柱。
【請求項２】
前記本体部は、前記隣接する遊技機の内、一方の遊技機側に配置されて、前記上方、下方及び後方の枠体同士を連結する板状の側壁部を備え、
前記排出口は、前記枠体の後方の下方端部において、前記側壁部側に設けられている、請求項１に記載の間柱。
【請求項３】
前記仕切部は、前記上方及び下方の前記枠体に、レール機構を介して引き出し可能に設けられており、
前記レール機構は、前記上方及び下方の前記枠体において前記側壁部とは反対側端部に固定されている、請求項２に記載の間柱。
【発明の詳細な説明】
【技術分野】
【０００１】
本開示は、隣接する遊技機の間に設置される間柱に関する。
【背景技術】
【０００２】
従来、隣接する遊技機の間に配置される間柱には、板状の仕切部が遊技機の手前に引き出し可能に収納され、必要に応じて仕切部を引き出すことで、遊技者間のスペースを仕切れるように構成されたものが知られている（例えば、特許文献１参照）。
【先行技術文献】
【特許文献】
【０００３】
【特許文献１】特開２０１２−１１１４０号公報
【発明の概要】
【発明が解決しようとする課題】
【０００４】
この種の間柱は、仕切部を引出可能に収納する本体部が、仕切部の外周を、上方、下方、及び、引き出し方向とは反対側の後方からそれぞれ囲む枠形状になっており、仕切部の引き出し方向である前面側が開放されている。
【０００５】
このため、仕切部の引き出し等によって本体部の前面側には隙間ができ、本体部内に遊技球等の異物が入り込むことがあった。そして、本体部内に異物が入ると、仕切部を本体部に収納する際の邪魔になり、仕切部を本体部に上手く収納できないことがあった。
【０００６】
本開示の一局面は、隣接する遊技機の間に配置され、板状の仕切部を引出可能に収納するための間柱において、本体部内に入り込んだ遊技球等の異物を排出できるようにすることを目的とする。
【課題を解決するための手段】
【０００７】
本開示の一局面の間柱は、遊技機の間に配置される本体部と、本体部に収納され、本体部の前面に形成された開口から引き出し可能に取り付けられた板状の仕切部と、を備える。  また本体部は、本体部に収納された前記仕切部の外周を、上方、下方、及び、前面とは反対側の後方からそれぞれ囲む枠体を備え、枠体の後方の下方端部には、本体部に入り込んだ異物を排出するための排出口が設けられている。
【０００８】
このため、本開示の一局面の間柱においては、本体部の前面側できた隙間から遊技球等の異物が入り込んだとしても、その異物を、本体部の後方の排出口から排出させることができる。
【０００９】
よって、本開示の間柱によれば、仕切部を本体部から引き出したり、仕切部を本体部に収納したりする際に、本体部内に入り込んだ異物が邪魔になるのを抑制し、本体部に対する仕切部の引き出し操作及び収納操作を良好に行うことができるようになる。
【００１０】
ここで、本体部には、隣接する遊技機の内、一方の遊技機側に配置されて、上方、下方及び後方の枠体同士を連結する板状の側壁部が備えられていてもよい。
そして、この場合、排出口を、枠体の後方の下方端部において、側壁部側に設けるようにすれば、排出口を設けることによって、本体部を構成する枠体の強度が低下するのを抑制できる。
【００１１】
つまり、側壁部は、上・下、後方の枠体同士を連結することで、本体部を構成する枠体が変形するのを防止できる。そして、排出口を、この側壁部側に設けるようにすれば、下方の枠体と後方の枠体との連結部分（つまり枠体の角部）の側壁部とは反対側を連結させることができるようになる。従って、排出口を設けることで枠体の強度が低下するのを抑制できるようになるのである。
【００１２】
また次に、仕切部は、上方及び下方の枠体に対し、レール機構を介して引き出し可能に設けられていてもよい。この場合、レール機構は、上方及び下方の枠体において、側壁部とは反対側端部に固定するようにすれば、枠体の強度を側壁部とレール機構とで確保することができる。そして、本体部から引き出された仕切部を収納する際には、本体部に入り込んだ異物を、仕切部の後方の下方端部にて排出口側に移動させることができる。また、このとき、異物は、下方の枠体に設けられたレールによって排出口へ案内されるので、排出口からより確実に異物を排出させることができる。
【図面の簡単な説明】
【００１３】
【図１】実施形態の間柱の斜視図であり、図１Ａは仕切部の収容状態を表し、図１Ｂは仕切部の引出状態を表す。
【図２】実施形態の間柱の側面図であり、図２Ａは仕切部の収容状態を表し、図２Ｂは仕切部の引出状態を表す。
【図３】実施形態の間柱の構成を表す分解斜視図である。
【図４】実施形態の本体部を斜め後方から見た状態を表す斜視図であり、図４Ａは本体部全体を表し、図４Ｂは図４Ａに示すＡ領域を拡大した状態を表す。
【図５】実施形態の本体部を斜め前方から見た状態を表す斜視図であり、図５Ａは本体部全体を表し、図５Ｂは図５Ａに示すＢ領域を拡大した状態を表す。
【発明を実施するための形態】
【００１４】
以下に本発明の実施形態を図面と共に説明する。
間柱１は、隣接する遊技機の間に設置されるものであり、図１、図２に示すように、本体部１０、仕切部２０、前面パネル３０などを備えている。
【００１５】
本体部１０は、上下方向に延びる収容空間を有しており、前方の開口から板状の仕切部２０を引き出し可能に収容している。
また、本体部１０には、各種案内用のシート状部材を収納するためのシートホルダ４１、飲み物のカップやボトルを載置するための載置ユニットを引き出し可能に収納するドリンクホルダ４３、電子機器を接続するための接続コネクタ４５なども収容されている。なお、シートホルダ４１及びドリンクホルダ４３は、本体部１０の収納空間に、仕切部２０の板面に対し平行になるように収納される。
【００１６】
仕切部２０は、本体部１０に収容され、本体部１０の前面に形成された開口から引き出し可能に取り付けられた板状の部材であり、本実施形態では、３枚の部材でもって段階的に引出および収容できるように構成されている。
【００１７】
本実施形態における仕切部２０は、第１仕切板２１、第２仕切板２２、第３仕切板２３の３つが重ねて配置されている。図３に示すように、第１仕切板２１は、本体部１０に固定された第１レール５１を介して内外方向にスライドし、第２仕切板２２は、第１仕切板２１に固定された第２レール５２を介して内外方向にスライドし、第３仕切板２３は、第２仕切板２２に固定された第３レール５３を介して内外方向にスライドする。
【００１８】
この結果、仕切部２０が本体部１０から引き出されたときには、第１仕切板２１が本体部１０に最も近く、第３仕切板２３が本体部１０から最も遠くなるよう、第３仕切板２３から順に段階的に引き出されることになる。また、仕切部２０の本体部１０への収納時には、引き出し時とは逆の順序で各仕切板２１〜２３が順に収納されることになる。
【００１９】
なお、仕切部２０の収納状態において、第１仕切板２１と第２仕切板２２は、板面全域が本体部１０内に収納されて、外側端縁が本体部１０の前面と揃うように構成され、第３仕切板２３は、板面の一部領域が本体部１０の前面から外部に突出するように構成されている。そして、第３仕切板２３の突出部分には取っ手２５が設けられており、遊技者等はその取っ手２５を持って、仕切部２０の引出および収容操作を行うことができる。
【００２０】
また、図３に示すように、本体部１０は、収納された仕切部２０の外周を、上方、下方、及び、前面とは反対側の後方からそれぞれ囲む枠体１１，１２，１３と、これら枠体同士を連結する板状の側壁部１４とを備える。なお、側壁部１４には、本体部１０の軽量化のために部分的に穴が空けられている。
【００２１】
これら枠体１１，１２，１３及び側壁部１４は、例えば、金属板をプレス成形することにより、一体的に構成されており、第１レール５１は、上下の枠体１１、１２にそれぞれ設けらている。
【００２２】
なお、上下の枠体１１、１２において、側壁部１４とは反対側の端縁部分は、側壁部１４と対向するように屈曲されており、上下一対の第１レール５１は、その屈曲された端縁部分にそれぞれ固定（ねじ止め）されている。
【００２３】
次に、第１仕切板２１には、本体部１０に固定された上下一対の第１レール５１にそれぞれ摺動可能に嵌合される上下一対の嵌合部５１Ａが固定されている。
この嵌合部５１Ａの固定は、第１仕切板２１の上下端縁部分に固定（ねじ止め）された固定部材５５を介して行われ、嵌合部５１Ａは、この固定部材５５において第１仕切板２１の上下端縁よりも外側に固定（ねじ止め）されている。これは、上下の嵌合部５１Ａ同士の間隔を、本体部１０に固定された第１レール５１同士の間隔に対応させるためである。
【００２４】
また、上下の嵌合部５１Ａは、第１レール５１と略同じ長さの長尺形状であり、上下の固定部材５５には、それぞれ、本体部１０の上下の枠体１１、１２に固定された上下の第１レール５１に向くように設けられている。
【００２５】
また、第１レール５１は、嵌合部５１Ａを摺動自在に嵌合するための溝が、第１仕切板２１側を向くように、本体部１０の上下の枠体１１、１２に固定されている。
このため、第１レール５１と嵌合部５２Ａは、本体部１０の上下の枠体１１、１２と、第１仕切板２１の上下に設けられた固定部材５５との間に配置されることになる。
【００２６】
また更に、上下の嵌合部５１Ａの引き出し側先端部分には、嵌合部５１Ａ及び固定部材５５の先端を覆うことで第１仕切板２１の上下の角部を保護し、更に、第１仕切板２１が収納位置にあるときには第１レール５１の先端部分を覆う、合成樹脂製の保護カバー５６が設けられている。
【００２７】
次に、第２レール５２は、第１仕切板２１の第１レール５１とは反対側の板面の上端及び下端にそれぞれ設けられており、第２仕切板２２の第１仕切板２１との対向面には、第２レール５２に摺動可能に嵌合される上下一対の嵌合部５２Ａが固定されている。
【００２８】
また、第２仕切板２２において、嵌合部５２Ａとは反対側の板面の上方及び下方には、それぞれ、板面端部の嵌合部５２Ａよりも内側に位置するように、第３レール５３が固定されている。
【００２９】
そして、第３仕切板２３の第２仕切板２２との対向面には、第３レール５３に摺動可能に嵌合される上下一対の嵌合部５３Ａが固定されている。第３仕切板２３は、第２仕切板２２よりも上下方向の長さが短くなっており、嵌合部５３Ａは、第３仕切板２３の板面の上下端部に固定されている。
【００３０】
つまり、本実施形態では、第１レール５１同士の間隔、第２レール５２同士の間隔、及び、第３レール５３同士の間隔は、第１レール５１同士の間隔が最も長く、第３レール５３同士の間隔が最も短くなっている。また、これに対応して、固定部材５５を含む第１仕切板２１の上下方向の長さが最も長く、第３仕切板２３の上下方向の長さが最も短くなっている。
【００３１】
この結果、各仕切板２１〜２３の上下方向の長さを一致させて、スライド用のレールを設けた場合に比べて、仕切部２０全体の大きさを小さくすることができる。
また、嵌合部５２Ａ、５３Ａは、嵌合部５１Ａと同様、対応する第２レール５２、第３レール５３と略同じ長さを有する長尺形状になっている。
【００３２】
そして、上下の嵌合部５２Ａ、５３Ａの引き出し側先端部分には、それぞれ、嵌合部５２Ａ、５３Ａの先端を覆うことで、第２仕切板２２、第３仕切板２３の上下の角部を保護し、第２仕切板２２、第３仕切板２３が収納位置にあるときには第２レール５２、第３レール５３の先端部分を覆う、合成樹脂製の保護カバー５７、５８が設けられている。
【００３３】
このため、仕切部２０を本体部１０に収納した際には、図１Ａに示すように、本体部１０の前面側で、仕切部２０の上端側及び下端側にて、保護カバー５６、５７、５８が外側から順に配置されることになる。
【００３４】
この結果、仕切部２０が収納状態にあるとき、仕切部２０が引き出される本体部１０の開口が保護カバー５６、５７、５８で覆われ、本体部１０の開口部分も保護されることになる。
【００３５】
次に、前面パネル３０は、本体部１０を構成する上下の枠体１１、１２の前方側に、本体部１０の前面を塞ぐように取り付けられる。
前面パネル３０には、仕切部２０、シートホルダ４１、ドリンクホルダ４３、接続コネクタ４５等の、本体部１０への収容物に対応した取付孔（換言すれば開口）が形成されている。
【００３６】
また、前面パネル３０の上下端部には、隣接する遊技機の間に固定するための固定金具３２（図４参照）にねじ止めするための固定孔（長孔）も設けられている。
また、仕切部２０を本体部１０から引き出した際に本体部１０側に配置される第１仕切板２１の後方端部には、板状の目隠し部材２７が設けられている。
【００３７】
この目隠し部材２７は、第２仕切板２２及び第３仕切板２３が本体部１０の外に引き出されることによって開放される前面パネル３０の開口を閉じて、その開口から本体部１０内に遊技球等の異物が入り込むのを防止するためのものである。
【００３８】
また、このように目隠し部材２７が設けられていても、本体部１０内には、前面パネル３０に設けられた取付孔にて形成される開口から、遊技球等の異物が入り込むことがある。
【００３９】
そして、本体部１０内に異物が入り込むと、仕切部２０を本体部１０に収納する際の邪魔になり、仕切部を本体部に上手く収納できないことがあるため、本体部１０の後方下端部には、本体部１０に入り込んだ異物を排出するための排出口１５が設けられている。
【００４０】
図４に示すように、この排出口１５は、本体部１０を構成する下方の枠体１２と後方の枠体１３とが連結される角部で、第１レール５１が固定される側とは反対側（つまり、側壁部１４側）に設けられている。
【００４１】
この結果、本実施形態の間柱１においては、本体部１０内に遊技球等の異物が入り込んだとしても、その異物を排出口１５から排出させて、遊技機の後方に配置される遊技球の搬送路に導くことができるようになる。
【００４２】
また、排出口１５は、後方の枠体１３の下方端部において、側壁部１４側に設けられることから、排出口１５を設けることによって、本体部１０の強度が低下するのを抑制できる。
【００４３】
また、仕切部２０は、下方の枠体１２に設けられた第１レール５１を介して、本体部１０内に収納されることから、異物は、仕切部２０の収納時の移動に伴い、第１レール５１に沿って本体部１０の後方へ移動し、排出口１５からより確実に排出されることになる。
【００４４】
また、図４に示すように、本体部１０の側壁部１４には、仕切部２０が本体部１０から引き出された状態で、目隠し部材２７に係合して、仕切部２０の収納方向への移動を阻止する収納抵抗部６０が上下方向に複数（本実施形態では２個）設けられている。この収納抵抗部６０は、例えば、板ばねにて構成されており、仕切部２０を本体部１０から引き出した状態で、仕切部２０が遊技機の振動等で本体部１０側に移動するのを防止できる。
【００４５】
一方、図５に示すように、本体部１０の後方の枠体１３には、仕切部２０が本体部１０内に収納された状態で、目隠し部材２７が当接されて、仕切部２０が引き出し方向に移動するのを阻止する引出抵抗部６２が設けられている。
【００４６】
この引出抵抗部６２は、例えば、磁石にて構成されており、磁力にて目隠し部材２７を吸引することで、仕切部２０の引き出し方向への変位に対する抵抗を発生させる。なお、仕切部２０が本体部１０内に収納されているとき、収納抵抗部６０が第３仕切板２３に設けた係合部材に係合するように構成すれば、収納抵抗部６０を、引出抵抗部としても機能させることができる。
【００４７】
次に、シートホルダ４１及びドリンクホルダ４３は、接続コネクタ４５と同様に、前面パネル３０の取付孔に固定されるが、各ホルダ４１、４３は、接続コネクタ４５に比べて奥行き方向の長さが長い。
【００４８】
このため、接続コネクタ４５のように単に前面パネル３０に固定しただけでは、本体部１０内で、各ホルダ４１、４３が仕切部２０の収納空間に侵入し、仕切部２０の引き出し時や収納時に邪魔になることが考えられる。
【００４９】
そこで、本実施形態では、本体部１０の後方の枠体１３に、シートホルダ４１及びドリンクホルダ４３の後方端部を位置決めして、これら各ホルダ４１、４３が仕切部２０の収納空間内に変位するのを阻止する位置決め部１７が設けられている。
【００５０】
図５に示すように、この位置決め部１７は、枠体１３の上下方向の２箇所に設けられている。この２つの位置決め部１７は、枠体１３の側壁部１４とは反対側を屈曲させることで、これら各ホルダ４１、４３の後方端面、及び、側壁部１４との対向面に当接される断面Ｌ字上の板体として構成されている。
【００５１】
そして、位置決め部１７の枠体１３とは反対側の端縁部分は、仕切部２０の収納空間（換言すれば、側壁部１４）から離れる方向に曲げられ、湾曲又は屈曲している。
このため、位置決め部１７は、各ホルダ４１、４３の後方端面及び側壁部１４との対向面に当接されて、各ホルダ４１が仕切部２０の収納空間側及び後方側に変位するのを防止できるだけでなく、収納時に仕切部２０を収納空間へ案内することができる。
【００５２】
以上説明したように、本実施形態の間柱１においては、本体部１０に排出口１５が設けられているため、前面パネル３０の取付孔等から本体部１０内に遊技球等の異物が入り込んだとしても、その異物を排出口１５から排出させることができる。
【００５３】
このため、仕切部２０を本体部１０から引き出したり、仕切部２０を本体部１０に収納したりする際に、異物が邪魔になるのを抑制し、仕切部２０の引き出し操作及び収納操作を良好に行うことができるようになる。
【００５４】
また、排出口１５は、本体部１０を構成する下方の枠体１２と後方の枠体１３とが連結される角部の側壁部１４側に設けられているため、仕切部２０の収納時に、仕切部２０の移動によって異物を排出口１５まで導くことができる。また、排出口１５は、下方及び後方の枠体１２、１３と側壁部１４とで囲まれているため、排出口１５を設けることによって本体部の強度が低下するのを抑制できる。
【００５５】
以上、本開示の一実施形態について説明したが、本開示は上記実施形態に限定されるものではなく、種々の形態をとり得ることはいうまでもない。
例えば、上記実施形態では、仕切部２０は、３枚の仕切板２１，２２，２３にて構成されるものとして説明したが、仕切部２０は、１枚若しくは２枚の仕切板にて構成されていてもよく、或いは、４枚以上の仕切板にて構成されていてもよい。また、仕切部２０を引き出し可能に支持するためのレール機構についても、上記実施形態とは異なるレール機構を利用してもよく、適宜変更することができる。
【００５６】
また、間柱１には、仕切部２０に加えて、シートホルダ４１、ドリンクホルダ４３、接続コネクタ４５等の各種機能部品が設けられるものとして説明したが、これらの機能部品が設けられない間柱であってもよい。
【００５７】
また、上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００５８】
１…間柱、１０…本体部、１１，１２，１３…枠体、１４…側壁部、１５…排出口、１７…位置決め部、２０…仕切部、２１…第１仕切板、２２…第２仕切板、２３…第３仕切板、２５…取っ手、２７…目隠し部材、３０…前面パネル、４１…シートホルダ、４３…ドリンクホルダ、４５…接続コネクタ、５１…第１レール、５１Ａ…嵌合部、５２…第２レール、５２Ａ…嵌合部、５３…第３レール、５３Ａ…嵌合部、５５…固定部材、５６，５７，５８…保護カバー、６０…収納抵抗部、６２…引出抵抗部。
【図１】
2018068735.tif 000003
【図２】
2018068735.tif 000004
【図３】
2018068735.tif 000005
【図４】
2018068735.tif 000006
【図５】
2018068735.tif 000007